(57)【要約】【課題】牽引ハンドルを牽引位置に配置した状態で、グリップ部の高さを操作者に合わせることができる可搬式発電機を提供する。【解決手段】可搬式発電機１０は、フレーム１１に上下方向に揺動自在に支持された上下の揺動リンク１４５，１４６，１５５，１５６と、上下の揺動リンクの下端部に基端部１６１ｂ，１６２ｂが連結され、先端部１６１ａ，１６２ａに可動グリップ部１６４が設けられた牽引ハンドル１４１とを備える。上下の揺動リンクの上方向揺動に連動させて、可動グリップ部を上下の揺動リンクから離れる方向に展開可能とした。さらに、上下の揺動リンクの下方向揺動に連動させて、可動グリップ部を上下の揺動リンクに近づく方向に折畳み可能とした。【選択図】図１１
2010000822.tif 000002
【特許請求の範囲】
【請求項１】
発電機が搭載されたフレームに運搬移動用の牽引ハンドルを備えた可搬式発電機において、
前記フレームに上端部がそれぞれ回転自在に連結されることで、前記フレームに上下方向に揺動自在に支持された上下の揺動リンクと、
前記上下の揺動リンクのそれぞれの下端部に基端部が連結され、先端部にグリップ部が設けられた牽引ハンドルと、
を備え、
前記上下の揺動リンクの上方向への揺動に連動させて、前記グリップ部が前記上下の揺動リンクから離れる方向に前記牽引ハンドルを展開可能で、
かつ、前記上下の揺動リンクの下方向への揺動に連動させて、前記グリップ部が前記上下の揺動リンクに近づく方向に前記牽引ハンドルを折畳み可能としたことを特徴とする可搬式発電機。
【請求項２】
前記牽引ハンドルが折畳み／展開される際に、前記グリップ部が一定の軌跡に沿って移動するように前記上下の揺動リンクで前記牽引ハンドルを規制することを特徴とする請求項１記載の可搬式発電機。
【請求項３】
前記牽引ハンドルを展開して前記グリップ部を牽引可能な牽引位置に配置した際に、前記上下の揺動リンクが互いに干渉して、前記牽引ハンドルが前記牽引位置を超えて展開することを阻止することを特徴とする請求項１または請求項２記載の可搬式発電機。
【請求項４】
前記牽引ハンドルを展開して前記グリップ部を牽引可能な牽引位置に配置した際に、前記牽引ハンドルおよび前記上下の揺動リンクの自重で前記牽引ハンドルが折り畳まれることを阻止する保持手段を備えたことを特徴とする請求項１〜３のいずれか１項記載の可搬式発電機。
【発明の詳細な説明】
【技術分野】
【０００１】
本発明は、発電機がフレームに搭載され、このフレームに運搬移動用の牽引ハンドルが備えられた可搬式発電機に関する。
【背景技術】
【０００２】
可搬式発電機のなかには、発電機がフレームに搭載され、フレームの前端下部に支軸を介して牽引ハンドルの基端部が回動自在に支持されたものが知られている。
この可搬式発電機は、牽引ハンドルを支軸を軸にして上方向に揺動することで、牽引ハンドルをフレームに収納可能で、かつ、牽引ハンドルを支軸を軸にして前方向に揺動することで、牽引ハンドルとして使用することが可能である（例えば、特許文献１参照。）。
【特許文献１】特開平１１−３２１６５８号公報
【０００３】
特許文献１の可搬式発電機によれば、牽引ハンドルの先端部にグリップ部が設けられている。牽引ハンドルを支軸を軸にして前方向に揺動することでグリップ部が牽引位置に配置される。
使用者がグリップ部を握ることで、牽引ハンドルを持ち上げ、この状態で可搬式発電機を運搬（牽引）することが可能であるとされている。
【発明の開示】
【発明が解決しようとする課題】
【０００４】
ここで、特許文献１の可搬式発電機は、牽引ハンドルを上方向に揺動した状態で、牽引ハンドルがフレームに収納可能に構成されている。
牽引ハンドル収納時の全高を抑えるために、牽引ハンドルをフレームの高さ寸法と略同じ長さに形成する必要があり、牽引ハンドルを十分な長さに確保することが難しい。
よって、牽引ハンドルを牽引位置に配置した状態で、グリップ部の高さを操作者に合わせ難い。
【０００５】
本発明は、牽引ハンドルを牽引位置に配置した状態で、グリップ部の高さを操作者に合わせることができる可搬式発電機を提供することを課題とする。
【課題を解決するための手段】
【０００６】
請求項１に係る発明は、発電機が搭載されたフレームに運搬移動用の牽引ハンドルを備えた可搬式発電機において、前記フレームに上端部がそれぞれ回転自在に連結されることで、前記フレームに上下方向に揺動自在に支持された上下の揺動リンクと、前記上下の揺動リンクのそれぞれの下端部に基端部が連結され、先端部にグリップ部が設けられた牽引ハンドルと、を備え、前記上下の揺動リンクの上方向への揺動に連動させて、前記グリップ部が前記上下の揺動リンクから離れる方向に前記牽引ハンドルを展開可能で、かつ、前記上下の揺動リンクの下方向への揺動に連動させて、前記グリップ部が前記上下の揺動リンクに近づく方向に前記牽引ハンドルを折畳み可能としたことを特徴とする。
【０００７】
請求項２は、前記牽引ハンドルが折畳み／展開される際に、前記グリップ部が一定の軌跡に沿って移動するように前記上下の揺動リンクで前記牽引ハンドルを規制することを特徴とする。
【０００８】
請求項３は、前記牽引ハンドルを展開して前記グリップ部を牽引可能な牽引位置に配置した際に、前記上下の揺動リンクが互いに干渉して、前記牽引ハンドルが前記牽引位置を超えて展開することを阻止することを特徴とする。
【０００９】
請求項４は、前記牽引ハンドルを展開して前記グリップ部を牽引可能な牽引位置に配置した際に、前記牽引ハンドルおよび前記上下の揺動リンクの自重で前記牽引ハンドルが折り畳まれることを阻止する保持手段を備えたことを特徴とする。
【発明の効果】
【００１０】
請求項１に係る発明では、フレームに上下の揺動リンクの上端部を回転自在に連結することで上下の揺動リンクを上下方向に揺動可能とした。また、上下の揺動リンクの下端部に牽引ハンドルの基端部を連結し、牽引ハンドルの先端部にグリップ部を設けた。
そして、上下の揺動リンクの上方向への揺動に連動させて牽引ハンドルを展開可能とすることで、牽引ハンドルを上下の揺動リンクで上方に持ち上げることができる。
【００１１】
牽引ハンドルを上方に持ち上げることができるので、牽引ハンドルのグリップ部を高い位置に配置することができる。
これにより、牽引ハンドルを牽引位置に展開（配置）した状態で、グリップ部の高さを操作者に合わせることができる。
【００１２】
請求項２に係る発明では、牽引ハンドルを折畳み／展開する際に、牽引ハンドルを上下の揺動リンクで規制することでグリップ部を一定の軌跡に沿って移動するようにした。
よって、操作者はグリップ部を握った手を一定の軌跡に沿って移動させることで、牽引ハンドルの折畳み／展開をおこなうことができる。
これにより、牽引ハンドルを折畳み／展開する操作が容易になり、使い勝手の向上を図ることができる。
【００１３】
請求項３に係る発明では、牽引ハンドルを展開してグリップ部を牽引位置に配置した際に、上下の揺動リンクが互いに干渉するように構成した。
そして、上下の揺動リンクが互いに干渉することで、牽引ハンドルが牽引位置を超えて展開することを阻止可能とした。
これにより、牽引ハンドルが牽引位置を超えて展開することを阻止するために、従来必要とされていたストッパを不要にできるので、構成の簡素化を図ることができる。
【００１４】
請求項４に係る発明では、牽引ハンドルを展開した際に、展開した牽引ハンドルが自重で折り畳まれないように保持する保持手段を備えた。
これにより、操作者がグリップ部から手を離した状態で、グリップ部を牽引位置に保持することができるので使い勝手の向上を図ることができる。
【発明を実施するための最良の形態】
【００１５】
本発明を実施するための最良の形態を添付図に基づいて以下に説明する。
図１は本発明に係る可搬式発電機を示す斜視図、図２は本発明に係る可搬式発電機を示す正面図である。
可搬式発電機１０は、本体としての骨格を形成するフレーム１１と、フレーム１１内に収納（搭載）されたエンジン／発電機ユニット１２（図４参照）と、フレーム１１の左側部に設けられた左サイドカバー１３と、フレーム１１の右側部に設けられた右サイドカバー１４と、フレーム１１に設けられた運搬移動用の移動手段１５と、フレーム１１の前部１１ａに設けられた運搬移動用の牽引手段１６とを備えている。
【００１６】
フレーム１１は、底部２１、上部２２、前壁部２３、後壁部２４（図４参照）、左側壁部（側壁部）２５および右側壁部（側壁部）２６で略矩形体状に形成されている。
後壁部２４は、下端部２４ａ（図４参照）に左右の脚部２８が上下方向に移動自在に設けられている。
上部２２は、車幅方向中央に固定グリップ部３１が設けられ、固定グリップ部３１の左右側に左右のカセット収容部３２，３３が設けられている。
【００１７】
固定グリップ部３１は、前後の端部３１ａ，３１ｂが上部２２に設けられている。この固定グリップ部３１を手で握って持ち上げることで可搬式発電機１０を持ち運びできる。
左右のカセット収容部３２，３３はカセットガスボンベ３５を収容するものである。カセットガスボンベ３５は、エンジン／発電機ユニット１２のエンジン１８（図４参照）に供給するガス燃料が蓄えられている。
【００１８】
右カセット収容部３３は、上部２２の右側半部に設けられ、右カセットカバー３６が開放自在に設けられている。
右カセットカバー３６を開放して、右カセット収容部３３にカセットガスボンベ３５が取り付けられる。
この状態で、右カセットカバー３６を閉じることで、カセットガスボンベ３５が右カセット収容部３３に収容される。
【００１９】
左カセット収容部３２は、右カセット収容部３３と左右対称の部材であり、左カセット収容部３２の詳しい説明を省略する。
【００２０】
図３は本発明に係る可搬式発電機から運搬移動用の移動手段を分解した状態を示す分解斜視図、図４は本発明に係る可搬式発電機から右サイドカバーを外した状態を示す側面図である。
フレーム１１の右側壁部２６は、底部２１、上部２２、前壁部２３および後壁部２４に沿って外周が形成され、この外周から中心寄りに所定間隔をおいて防水壁４１が略リング状に形成され、防水壁４１の前端部４１ａに前レゾネータ４２が設けられるとともに防水壁４１の後端部４１ｂに後レゾネータ４３が設けられている。
【００２１】
防水壁４１の上下の部位４１ｃ，４１ｄおよび前後のレゾネータ４２，４３で、修理点検（メンテナンス）用の右開口部（開口部）４５が形成されている。
この右開口部４５は、フレーム１１内の収容空間４６に連通されている。フレーム１１内の収容空間４６にエンジン／発電機ユニット１２が収容されている。
【００２２】
防水壁４１の外側近傍に一対のねじ孔４８が対角線上に形成されている。一対のねじ孔４８にボルト４９，４９で右サイドカバー１４が着脱自在に取り付けられている。
右サイドカバー１４は、外周１４ａが円形に形成され、一対のボルト４９をねじ孔４８，４８にねじ結合することで右側壁部２６に取り付けられている。
【００２３】
右サイドカバー１４の外周１４ａは、防水壁４１の外周に対して一回り大きく形成されている。
よって、右サイドカバー１４を一対のボルト４９で右側壁部２６に取り付けることにより、右サイドカバー１４で修理点検（メンテナンス）用の右開口部４５が覆われている。
【００２４】
よって、一対のボルト４９を緩めて右サイドカバー１４を右側壁部２６から取り外すことで右開口部４５を開放し、右開口部４５を利用してエンジン／発電機ユニット１２の修理点検（メンテナンス）をおこなうことが可能である。
【００２５】
左側壁部２５（図２参照）は、右側壁部２６と略左右対称の壁部であり、詳しい説明を省略する。
左側壁部２５は、右側壁部２６と同様に、底部２１、上部２２、前壁部２３および後壁部２４に沿って外周が形成され、この外周から中心側に所定間隔をおいて周壁（図示せず）が形成されている。
【００２６】
この周壁で、修理点検（メンテナンス）用の左開口部（開口部）（図示せず）が形成されている。左開口部は、フレーム１１内の収容空間４６に連通されている。
この左開口部は左サイドカバー１３で覆われている。
左サイドカバー１３は、右サイドカバー１４と左右対称な部材であり、一対のボルト（図示せず）で左側壁部２５に着脱自在に取り付けられている。
【００２７】
よって、一対のボルトを緩めて左サイドカバー１３を左側壁部２５から取り外すことで左開口部を開放し、左開口部を利用してエンジン／発電機ユニット１２の修理点検（メンテナンス）をおこなうことが可能である。
【００２８】
エンジン／発電機ユニット１２は、カセットガスボンベ３５から供給されたガス燃料で駆動可能なエンジン１８と、エンジン１８の駆動軸（クランクシャフト）に対して同軸上に設けられた発電機１９とが一体に設けられている。
発電機１９のロータ（図示せず）をエンジン１８で回転させることで電力が発電される。
【００２９】
ここで、エンジン１８を駆動した際に、右サイドカバー１４と防水壁４１との隙間から外気が右開口部４５に導かれる。
この際に、前後のレゾネータ４２，４３の共鳴室で外気の吸気音を消音することが可能である。
【００３０】
移動手段１５は、右側壁部２６に設けられた右ガイド手段５５と、右ガイド手段５５で回転自在に支持された右車輪（車輪）５６と、左側壁部２５（図２参照）に設けられた左ガイド手段（図示せず）と、この左ガイド手段で回転自在に支持された左車輪（車輪）５８（図２参照）と、前壁部２３の下端部２３ａに設けられたキャスタ部６１とを備えている。
【００３１】
なお、左ガイド手段は右ガイド手段５５と左右対称の部材なので、以下右ガイド手段５５について説明して左ガイド手段の詳しい説明を省略する。
また、左車輪５８は右車輪５６と左右対称の部材なので、左車輪５８の構成部材に右車輪５６と同じ符号を付して説明を省略する。
【００３２】
図５は本発明に係る可搬式発電機の運搬移動用の移動手段を示す斜視図である。
移動手段の右車輪５６は、リング状に形成された右リム（リム）６４と、右リム６４の外周に沿って設けられた右タイヤ６５とを備えている。
右リム６４は、一例として、樹脂や金属でリング状に形成され、内周壁６４ａに突条部６７（図７も参照）が中心側に向けて突出するように形成されている。
突条部６７は、右リム６４と同軸にリング状に形成されている。
右リム６４は、右ガイド手段５５で軸線５７を中心にして回転自在に支持されている。
【００３３】
右ガイド手段５５は、右リム６４の内周を支える第１〜第２の固定ガイドローラ７１，７２および可動ガイドローラ７３と、第１固定ガイドローラ７１を右側壁部２６（図４参照）に回転自在に設ける第１固定取付手段（取付手段）７５と、第２固定ガイドローラ７２を右側壁部２６に回転自在に設ける第２固定取付手段（取付手段）７６と、可動ガイドローラ７３を右側壁部２６に回転自在に設ける可動取付手段（取付手段）７７とを備えている。
【００３４】
第１〜第２の固定ガイドローラ７１，７２および可動ガイドローラ７３は、「少なくとも３個のガイドローラ」を構成している。
なお、第１〜第２の固定ガイドローラ７１，７２は同一部材なので、以下第１固定ガイドローラ７１について説明して第２固定ガイドローラ７２の詳しい説明を省略する。
また、第１〜第２の固定取付手段７５，７６は同一部材なので、以下第２固定取付手段７６の構成部材に第１固定取付手段７５と同じ符号を付して説明を省略する。
【００３５】
図６は図４の６部拡大図、図７は図６の７−７線断面図である。
第１固定ガイドローラ７１は、第１固定取付手段７５に取り付ける取付孔８１が中央に貫通され、右リム６４の突条部６７に嵌合可能な係合溝８２が外周７１ａに沿って環状に形成されている。
【００３６】
第１固定取付手段７５は、第１固定ガイドローラ７１を回転自在に支持する固定ローラ支持ボルト８４と、固定ローラ支持ボルト８４の両側に設けられた一対の固定板支持ボルト８５と、一対の固定板支持ボルト８５にそれぞれ嵌入されたカラー８６，８６（図５も参照）と、一対の固定板支持ボルト８５で支持される固定板８７と、固定板８７を固定ローラ支持ボルト８４および一対の固定板支持ボルト８５に固定するナット８８…とを備えている。
【００３７】
固定ローラ支持ボルト８４は、右側壁部２６に頭部８４ａが埋設されることで右側壁部２６から固定板８７に向けて突出されている。
一対の固定板支持ボルト８５は、固定ローラ支持ボルト８４の両側に所定間隔をおいて配置されている。
一対の固定板支持ボルト８５は、右側壁部２６にそれぞれ頭部８５ａ，８５ａ（１個のみ図示する）が埋設されることで右側壁部２６から固定板８７に向けて突出されている。
【００３８】
固定板８７は、略三角形状に形成された平板である。
この固定板８７は、中央頂部に固定ローラ支持ボルト８４が貫通可能な中央貫通孔８７ａが形成され、両端部に一対の固定板支持ボルト８５が貫通可能な貫通孔８７ｂ，８７ｂ（図５も参照）がそれぞれ形成されている。
【００３９】
第１固定取付手段７５によれば、固定ローラ支持ボルト８４に第１固定ガイドローラ７１の取付孔８１が嵌合され、一対の固定板支持ボルト８５にカラー８６，８６がそれぞれ嵌合されている。
さらに、固定ローラ支持ボルト８４に固定板８７の中央貫通孔８７ａが嵌合されるとともに、一対の固定板支持ボルト８５に固定板８７の貫通孔８７ｂ，８７ｂが嵌合されている。
【００４０】
中央貫通孔８７ａから突出した固定ローラ支持ボルト８４のねじ部８４ｂにナット８８がねじ結合されている。
そして、一対の貫通孔８７ｂから突出した一対の固定板支持ボルト８５のねじ部８５ｂ，８５ｂにナット８８，８８がそれぞれねじ結合されている。
【００４１】
これにより、第１固定ガイドローラ７１が固定ローラ支持ボルト８４に回転自在に支持されるとともに、第１固定ガイドローラ７１が固定ローラ支持ボルト８４から抜け出すことを固定板８７で防止している。
この状態で、第１固定ガイドローラ７１の係合溝８２が右リム６４の突条部６７に嵌合されるとともに、係合溝８２の底面８２ａが突条部６７の内周面６７ａに当接されている。
【００４２】
図５に戻って、第２固定ガイドローラ７２は、第１固定ガイドローラ７１と同一部材である。
また、第２固定取付手段７６は、第１固定取付手段７５と同一構成である。
よって、第２固定ガイドローラ７２の係合溝９１が右リム６４の突条部６７に嵌合されるとともに、係合溝９１の底面が突条部６７の内周面６７ａに当接されている。
第２固定ガイドローラ７２の係合溝９１は、第１固定ガイドローラ７１の係合溝８２と同じ形状に形成されている。
【００４３】
図８は図４の８部拡大図、図９は図８の９−９線断面図である。
可動ガイドローラ７３は、可動取付手段７７に取り付ける取付孔９３が中央に貫通され、右リム６４の突条部６７に嵌合可能な係合溝９４が外周７３ａに沿って環状に形成されている。
なお、可動ガイドローラ７３は、第１、第２の固定ガイドローラ７１，７２と同一形状である。
【００４４】
可動取付手段７７は、可動ガイドローラ７３を回転自在に支持する可動ローラ支持ボルト９５と、可動ローラ支持ボルト９５の両側に設けられた一対の可動板支持ボルト９６と、一対の可動板支持ボルト９６にそれぞれ嵌入されたカラー９７，９７と、一対の可動板支持ボルト９６で支持される内外の可動板９８，９９と、内外の可動板９８，９９を可動ローラ支持ボルト９５および一対の可動板支持ボルト９６に固定するナット１０１…と、内外の可動板９８，９９の一端部９８ａ，９９ａを回動自在に支持する支軸部１０３と、内外の可動板９８，９９の他端部９８ｂ，９９ｂをスライド自在に支持するスライド軸部１０４と、可動ローラ支持ボルト９５を右リム６４に向けて付勢する付勢手段１０５とを備えている。
【００４５】
可動ローラ支持ボルト９５は、内可動板９８に頭部９５ａが埋設されることで内可動板９８から外可動板９９に向けて突出されている。
一対の可動板支持ボルト９６は、可動ローラ支持ボルト９５の両側に所定間隔をおいて配置されている。
これらの可動板支持ボルト９６，９６は、内可動板９８にそれぞれ頭部９６ａ，９６ａが埋設されることで内可動板９８から外可動板９９に向けて突出されている。
【００４６】
内可動板９８は、略湾曲状に形成された平板である。
この内可動板９８は、中央に可動ローラ支持ボルト９５の頭部９５ａが埋設され、可動ローラ支持ボルト９５の両側に一対の可動板支持ボルト９６の頭部９６ａ，９６ａがそれぞれ埋設され、一端部９８ａに支軸貫通孔９８ｃが形成され、他端部９８ｂにスライド孔（長孔）９８ｄが形成されている。
【００４７】
支軸貫通孔９８ｃは、支軸部１０３の支軸ボルト１０７が貫通可能な孔である。
スライド孔９８ｄは、スライド軸部１０４のスライド軸ボルト１１２がスライド自在に貫通可能な長孔である。
【００４８】
外可動板９９は、内可動板９８と同様に略湾曲状に形成された平板である。
この外可動板９９は、中央に可動ローラ支持ボルト９５が貫通可能な中央貫通孔９９ｃが形成され、中央貫通孔９９ｃの両側に一対の可動板支持ボルト９６が貫通可能な貫通孔９９ｄ，９９ｄがそれぞれ形成され、一端部９９ａに支軸貫通孔９９ｅが形成され、他端部９９ｂにスライド軸部１０４がスライド自在に貫通可能なスライド孔（長孔）９９ｆが形成されている。
【００４９】
支軸貫通孔９９ｅは、支軸部１０３の支軸ボルト１０７が貫通可能な孔である。
スライド孔９９ｆは、スライド軸部１０４のスライド軸ボルト１１２がスライド自在に貫通可能な長孔である。
【００５０】
支軸部１０３は、右側壁部２６に埋設された支軸ナット１０６と、支軸ナット１０６にねじ結合された支軸ボルト１０７と、支軸ボルト１０７に嵌合された第１、第２の支軸カラー１０８，１０９とを備えている。
支軸ボルト１０７は、内可動板９８の支軸貫通孔９８ｃに貫通されるとともに、外可動板９９の支軸貫通孔９９ｅに貫通されている。
第１支軸カラー１０８は、内外の可動板９８，９９に挟持されている。
第２支軸カラー１０９は、内可動板９８および右側壁部２６に挟持されている。
【００５１】
スライド軸部１０４は、右側壁部２６に埋設されたスライド軸ナット１１１と、スライド軸ナット１１１にねじ結合されたスライド軸ボルト１１２と、スライド軸ボルト１１２に嵌合された第１、第２のスライド軸カラー１１３，１１４とを備えている。
スライド軸ボルト１１２は、内可動板９８のスライド孔９８ｄにスライド自在に貫通されるとともに、外可動板９９のスライド孔９９ｆにスライド自在に貫通されている。
第１スライド軸カラー１１３は、内外の可動板９８，９９に挟持されている。
第２スライド軸カラー１１４は、内可動板９８および右側壁部２６に挟持されている。
【００５２】
付勢手段１０５は、内可動板９８に設けられた上ストッパ部１１５と、右側壁部２６に設けられた下ストッパ部１１６と、上下のストッパ部１１５，１１６に介在された圧縮ばね（弾性部材）１１７とを備えている。
【００５３】
可動取付手段７７によれば、可動ローラ支持ボルト９５に可動ガイドローラ７３の取付孔９３が嵌合され、一対の可動板支持ボルト９６にカラー９７，９７がそれぞれ嵌合されている。
さらに、可動ローラ支持ボルト９５に外可動板９９の中央貫通孔９９ｃが嵌合されるとともに、一対の可動板支持ボルト９６に外可動板９９の貫通孔９９ｄ，９９ｄが嵌合されている。
【００５４】
そして、中央貫通孔９９ｃから突出した可動ローラ支持ボルト９５のねじ部９５ｂにナット１０１がねじ結合されている。
また、一対の貫通孔９９ｄから突出した一対の可動板支持ボルト９６のねじ部９６ｂにナット１０１，１０１がそれぞれねじ結合されている。
これにより、可動ガイドローラ７３が可動ローラ支持ボルト９５に回転自在に支持されるとともに、可動ガイドローラ７３が可動ローラ支持ボルト９５から抜け出すことを内外の可動板９８，９９で防止している。
【００５５】
さらに、内外の可動板９８，９９の支軸貫通孔９８ｃ，９９ｅに支軸ボルト１０７が差し込まれるとともに、支軸ボルト１０７に第１、第２の支軸カラー１０８，１０９が嵌合される。
第２支軸カラー１０９から突出した支軸ボルト１０７のねじ部１０７ａが支軸ナット１０６にねじ結合される。
【００５６】
また、内外の可動板９８，９９のスライド孔９８ｄ，９９ｆにスライド軸ボルト１１２が差し込まれるとともに、スライド軸ボルト１１２に第１、第２のスライド軸カラー１１３，１１４が嵌合される。
第２スライド軸カラー１１４から突出したスライド軸ボルト１１２のねじ部１１２ａがスライド軸ナット１１１にねじ結合される。
よって、内外の可動板９８，９９は、支軸ボルト１０７を軸にして右リム６４に近づく方向や右リム６４から離れる方向に矢印（図８参照）の如く揺動移動することが可能である。
これにより、可動ガイドローラ７３が右リム６４の半径方向に移動自在に支持されている。
【００５７】
そして、上下のストッパ部１１５，１１６間に圧縮ばね１１７が介装されている。よって可動ガイドローラ７３が圧縮ばね１１７の付勢力で右リム６４に押し付けられる。
よって、可動ガイドローラ７３の係合溝９４が右リム６４の突条部６７に嵌合されるとともに、可動ガイドローラ７３の外周７３ａが右リム６４の内周壁６４ａに当接されている。
これにより、右リム６４の製造誤差を吸収することが可能になり、右リム６４を円滑に回転させることができる。
【００５８】
以上説明したように、第１〜第２の固定ガイドローラ７１，７２および可動ガイドローラ７３で右車輪５６（すなわち、右リム６４）を支持することで、右車輪５６がフレーム１１の右側壁部２６側に回転自在に支持されている。
これにより、図４に示すように、フレーム１１の高さ寸法Ｈ１を大きくすることなく、右車輪５６の外形寸法Ｄを大きく設定することができる。
実施の形態では、右車輪５６の外形寸法Ｄは、フレーム１１の高さ寸法Ｈ１と略同じ大きさに設定されている。
【００５９】
また、第１〜第２の固定ガイドローラ７１，７２および可動ガイドローラ７３で右リム６４を回転自在に支持することで、右車輪５６を支えるために通常用いられる車軸を不要にできる。
よって、右車輪５６の外形寸法を大きく設定しても、フレーム１１の比較的高い部位に車軸を貫通させる必要がない。
これにより、右車輪５６の外形寸法を大きく設定した状態で、フレーム１１内にエンジン／発電機ユニット１２などを収容する収容空間４６（図４参照）を確保することができる。
【００６０】
さらに、右リム６４を支えるために通常用いられる車軸を不要にすることで、右リム６４の中心側領域１２１（図５も参照）を空間として確保することができる。
中心側領域１２１は、右側壁部２６の右開口部４５（図４も参照）に対向している。
これにより、図４に示すように、右車輪の外径寸法Ｄを大きく設定しても、右リム６４の中心側領域１２１および右側壁部２６の右開口部４５を利用して保守点検（いわゆる、メンテナンス）をおこなうことができる。
【００６１】
なお、前述したように、移動手段１５の左ガイド手段は右ガイド手段５５と左右対称の部材である。また。左車輪５８は右車輪５６と左右対称の部材である。
これにより、左車輪５８は、右車輪５６と同様に、フレーム１１の左側壁部２５側に回転自在に配置されている。
【００６２】
図１、図２に戻って、前壁部２３の下端部２３ａにはキャスタ部６１が設けられている。
キャスタ部６１は、前壁部２３に回転自在に設けられ旋回軸１２４と、旋回軸１２４に設けられたブラケット１２５と、ブラケット１２５に回転自在に支持された舵取り車輪１２６と、ブラケット１２５に取り付けられたキャスタストッパ１８５とを備えている。
キャスタ部６１は、旋回軸１２４の延長線上に対して舵取り車輪１２６の車輪中心１２８が距離Ｌ１だけオフセットされた状態（ずらした状態）で配置されている（図１１も参照）。
【００６３】
キャスタ部６１によれば、可搬式発電機１０を左右の車輪５８，５６で運搬する際に、可搬式発電機１０の運搬方向に対応させて舵取り車輪１２６の向きを変化させることができる。
また、キャスタ部６１は、舵取り車輪１２６が支持軸１２９を軸にして上下方向に移動自在（揺動自在）に支持され、舵取り車輪１２６がばね部材（図示せず）で下方に付勢されている。
よって、可搬式発電機１０を左右の車輪５８，５６で不整地を運搬する際に、不整地の凹凸に合わせて舵取り車輪１２６を上下動させることができる。
【００６４】
このように、舵取り車輪１２６の向きを運搬方向に対応させて変化させたり、舵取り車輪１２６を不整地の凹凸に合わせて上下動させることで、可搬式発電機１０の運搬性を高めることができる。
【００６５】
一方、キャスタストッパ１８５に、ロア連結ロッド１３８の中央部１３８ｃを係止させることで舵取り車輪１２６を静止状態に保持することができる。
なお、ロア連結ロッド１３８の中央部１３８ｃについては図１０、図１１で詳しく説明する。
【００６６】
また、後壁部２４の下端部２４ａ（図４参照）には左右の脚部２８が上下方向に移動自在に設けられている。
左右の脚部２８は、例えば、可搬式発電機１０を静止状態に保持する静止位置と、可搬式発電機１０を運搬（移動）状態に保持する移動位置とにロック可能に構成されている。
なお、静止位置は、左右の脚部２８を下方に配置した位置である。
また、移動位置は、左右の脚部２８を上方に配置した位置である。
【００６７】
図１０は本発明に係る可搬式発電機の牽引手段を示す分解斜視図、図１１は本発明に係る可搬式発電機の牽引手段を展開した状態を示す斜視図である。
牽引手段１６は、フレーム１１の前部１１ａに設けられ、可搬式発電機１０を牽引するための手段である。
牽引手段１６は、前部１１ａの右側部１３１に設けられた右揺動リンクユニット１３２と、右揺動リンクユニット１３２を覆う右リンクカバー１３３と、前部１１ａの左側部１３５に設けられた左揺動リンクユニット１３６と、左揺動リンクユニット１３６を覆う左リンクカバー１３７と、右揺動リンクユニット１３２および左揺動リンクユニット１３６を連結するロア連結ロッド１３８と、右揺動リンクユニット１３２および左揺動リンクユニット１３６に連結された牽引ハンドル１４１とを備えている。
【００６８】
なお、左右の揺動リンクユニット１３６，１３２は左右対称の部材であり、以下右揺動リンクユニット１３２について説明して左揺動リンクユニット１３６の詳しい説明は省略する。
また、左右のリンクカバー１３７，１３３は左右対称の部材であり、以下右リンクカバー１３３について説明して左リンクカバー１３７の詳しい説明は省略する。
【００６９】
右揺動リンクユニット１３２は、前部１１ａの右側部１３１に上下方向に揺動自在に支持された右上揺動リンク（上揺動リンク）１４５と、右側部１３１に上下方向に揺動自在に支持された右下揺動リンク（下揺動リンク）１４６とを備えている。
右上揺動リンク１４５および右下揺動リンク１４６は互いに並列に配置されている。
【００７０】
右上揺動リンク１４５は、フレーム１１の前壁部２３に沿うように湾曲状に形成され、上端部１４５ａが右側部１３１の第１上取付部（上端部）１３１ａにボルト１４７で回動自在に連結されている。
【００７１】
右下揺動リンク１４６は、右上揺動リンク１４５に沿うように湾曲状に形成され、上端部１４６ａの近傍に右車輪５６に向けて突出する右タイヤストッパ１５８が設けられている。
この右下揺動リンク１４６は、上端部１４６ａが右側部１３１の第２上取付部（上端部）１３１ｂにボルト１４７で回動自在に連結されている。
第２上取付部１３１ｂは、第１上取付部１３１ａに対して前下方に設けられている。
【００７２】
右タイヤストッパ１５８は、図４に示すように、牽引ハンドル１４１を折り畳んだ状態で、右車輪５６の外周に当接する部材である。
右タイヤストッパ１５８が右車輪５６の外周に当接することで、右車輪５６の回転を阻止することができる。
これにより、右タイヤストッパ１５８を設けるだけの簡単な構成で、右車輪５６の回転を阻止することができる。
【００７３】
右下揺動リンク１４６は、右上揺動リンク１４５の下方に並列に配置されている。
右上揺動リンク１４５および右下揺動リンク１４６は、それぞれの上端部１４５ａ，１４６ａを支点にして上下方向に一体的に揺動自在に支持されている。
【００７４】
右上揺動リンク１４５および右下揺動リンク１４６は右リンクカバー１３３で覆われている。
右リンクカバー１３３は、上端部１３３ａが右上揺動リンク１４５の上端部１４５ａとともに第１上取付部１３１ａにボルト１４７で回動自在に連結され、下端部１３３ｂが右上揺動リンク１４５の下端部（下ボス）１４５ｂに固定されている。
【００７５】
右リンクカバー１３３は、断面略Ｕ字状に形成され、内部空間１４９（図１４も参照）に右上揺動リンク１４５および右下揺動リンク１４６が収容されている。
右リンクカバー１３３の内側壁において略中央部１３３ｃに、ハンドルホルダ１５３が形成されている。
ハンドルホルダ１５３は、牽引ハンドル１４１の右ハンドル部１６１を挟持可能に略Ｕ字状に形成されている。
【００７６】
図１２は図４の１２部拡大図である。
右リンクカバー１３３の下端部１３３ｂにおいて、外側壁１３３ｄに右保持溝部１５２が形成されている。
右保持溝部１５２は、右下揺動リンク１４６の下端部（具体的には、下ボス）１４６ｂが嵌合可能に湾曲状に形成されている。
右保持溝部１５２および右下揺動リンク１４６の下端部（具体的には、下ボス）１４６ｂで右保持手段（保持手段）１５１が構成されている。
なお、右保持手段１５１については図１３〜図１５で詳しく説明する。
【００７７】
図１０、図１１に戻って、右上揺動リンク１４５の下端部１４５ｂおよび左上揺動リンク（上揺動リンク）１５５の下端部１５５ｂがロア連結ロッド１３８で連結されている。
具体的には、ロア連結ロッド１３８は、右上揺動リンク１４５の下端部１４５ｂに右端部１３８ａが設けられ、左上揺動リンク１５５の下端部１５５ｂに左端部１３８ｂが設けられている。
【００７８】
このロア連結ロッド１３８は、中央部１３８ｃが前方に向けて突出するように折り曲げられている。
中央部１３８ｃを前方に向けて突出するように折り曲げることで、中央部１３８ｃがキャスタストッパ１８５に係止可能な位置に配置される。
【００７９】
右上揺動リンク１４５の下端部１４５ｂおよび右下揺動リンク１４６の下端部１４６ｂに牽引ハンドル１４１の右ハンドル部１６１が連結されている。
また、左上揺動リンク１５５の下端部１５５ｂおよび左下揺動リンク（下揺動リンク）１５６の下端部１５６ｂに牽引ハンドル１４１の左ハンドル部１６２が連結されている。
【００８０】
牽引ハンドル１４１は、右リンクカバー１３３に対して可搬式発電機１０中央寄りに設けられた右ハンドル部１６１と（図２も参照）、左リンクカバー１３７に対して可搬式発電機１０中央寄りに設けられた左ハンドル部１６２と（図２も参照）、右ハンドル部１６１および左ハンドル部１６２のそれぞれの先端部１６１ａ，１６２ａを連結する連結部１６３と、連結部１６３に同軸上に設けられた可動グリップ部（グリップ部）１６４とを備えている。
【００８１】
右ハンドル部１６１は、右リンクカバー１３３、すなわち右上揺動リンク１４５および右下揺動リンク１４６に対して所定間隔をおいて可搬式発電機１０中央寄りに設けられている（図２参照）。
この右ハンドル部１６１は、基端部１６１ｂに第１下取付部１６７および第２下取付部１６８を備えている。
【００８２】
第１下取付部１６７が、右上揺動リンク１４５の下端部１４５ｂにボルト１７１で回動自在に連結されている。
第２下取付部１６８が、右下揺動リンク１４６の下端部１４６ｂにボルト１７１で回動自在に連結されている。
【００８３】
左ハンドル部１６２は、右ハンドル部１６１と左右対称の部材である。よって、左ハンドル部１６２の各構成部材に右ハンドル部１６１と同じ符号を付して説明を省略する。
【００８４】
すなわち、牽引ハンドル１４１は、右上揺動リンク１４５および右下揺動リンク１４６のそれぞれの下端部１４５ｂ，１４６ｂに右ハンドル部１６１の基端部１６１ｂが連動可能に連結され、さらに、左上揺動リンク１５５および左下揺動リンク１５６のそれぞれの下端部１５５ｂ，１５６ｂに左ハンドル部１６２の基端部１６２ｂが連動可能に連結され、加えて、右ハンドル部１６１および左ハンドル部１６２のそれぞれの先端部１６１ａ，１６２ａに連結部１６３を介して可動グリップ部１６４が設けられている。
【００８５】
この牽引手段１６は、右揺動リンクユニット１３２および左揺動リンクユニット１３６の上方向への揺動に連動させて可動グリップ部１６４が右揺動リンクユニット１３２および左揺動リンクユニット１３６から離れる方向に牽引ハンドル１４１を展開可能に構成されている。
【００８６】
また、牽引手段１６は、右揺動リンクユニット１３２および左揺動リンクユニット１３６の下方向への揺動に連動させて可動グリップ部１６４が右揺動リンクユニット１３２および左揺動リンクユニット１３６に近づく方向に牽引ハンドル１４１を折畳み可能に構成されている。
【００８７】
すなわち、牽引手段１６は、略中央で折曲げ可能（折畳み可能）に構成されている。
また、右揺動リンクユニット１３２の長さ寸法は、牽引ハンドル１４１の長さ寸法と略同じに設定されている。
さらに、左揺動リンクユニット１３６の長さ寸法は、牽引ハンドル１４１の長さ寸法と略同じに設定されている。
これにより、牽引手段１６を展開することにより、牽引手段１６の全長を長く確保することが可能で、牽引手段１６を折り畳む（収納する）ことにより、牽引手段１６の全長を短くすることが可能になる。
【００８８】
さらに、牽引ハンドル１４１は、右ハンドル部１６１の第１、第２の下取付部１６７，１６８が右上揺動リンク１４５および右下揺動リンク１４６のそれぞれの下端部１４５ｂ，１４６ｂに連結され、左ハンドル部１６２の第１、第２の下取付部１６７，１６８が左上揺動リンク１５５および左下揺動リンク１５６のそれぞれの下端部１５５ｂ，１５６ｂに連結されている。
【００８９】
すなわち、右ハンドル部１６１の基端部１６１ｂがそれぞれの下端部１４５ｂ，１４６ｂの２箇所に連結されている。
さらに、左ハンドル部１６２の基端部１６２ｂがそれぞれの下端部１５５ｂ，１５６ｂの２箇所に連結されている。
【００９０】
よって、牽引ハンドル１４１は、下端部１４５ｂ，１４６ｂおよび下端部１５５ｂ，１５６ｂに対して独立して移動することが阻止されている。
これにより、牽引ハンドル１４１が折畳み／展開される際に、可動グリップ部１６４が一定の軌跡１８１（図１８（ａ）参照）に沿って移動するように、右揺動リンクユニット１３２および左揺動リンクユニット１３６で牽引ハンドル１４１を規制することができる。
【００９１】
図１３は本発明に係る可搬式発電機の牽引手段を展開した状態を示す側面図、図１４は図１３の１４−１４線断面図、図１５は図１３の１５部拡大図である。
牽引手段１６は、牽引ハンドル１４１を展開して可動グリップ部１６４を折畳位置Ｐ１（図４参照）から牽引位置Ｐ２に配置した際に、右下揺動リンク１４６が右上揺動リンク１４５に干渉するとともに、左下揺動リンク１５６が左上揺動リンク１５５に干渉する。
【００９２】
具体的には、右下揺動リンク１４６の下端部（下ボス）１４６ｂが、右上揺動リンク１４５の下端部１４５ｂ近傍の部位１４５ｃに干渉する。
ここで、下端部（下ボス）１４６ｂは、右上揺動リンク１４５の下端部１４５ｂ近傍の部位１４５ｃに対して交差する方向を向いて設けられている。
よって、下端部（下ボス）１４６ｂを下端部１４５ｂ近傍の部位１４５ｃに確実に当接させることができる。
【００９３】
同時に、左下揺動リンク１５６の下端部（下ボス）１５６ｂが、左上揺動リンク１５５の下端部１５５ｂ近傍の部位１５５ｃに干渉する。
ここで、下端部（下ボス）１５６ｂは、左上揺動リンク１５５の下端部１５５ｂ近傍の部位１５５ｃに対して交差する方向を向いて設けられている。
よって、下端部（下ボス）１５６ｂを下端部１５５ｂ近傍の部位１５５ｃに確実に当接させることができる。
【００９４】
これにより、牽引ハンドル１４１が牽引位置Ｐ２を超えて展開することを阻止することができる。
したがって、牽引ハンドル１４１が牽引位置Ｐ２を超えて展開することを阻止するために、従来必要とされていたストッパを不要にでき、構成の簡素化を図ることができる。
【００９５】
また、牽引手段１６は、右保持手段（保持手段）１５１および左保持手段（保持手段）１９１を備えている。
右保持手段１５１は、右保持溝部１５２と、右下揺動リンク１４６の下端部（具体的には、下ボス）１４６ｂとを備えている。
左保持手段１９１は、右保持手段１５１と左右対称の部材であり、左保持手段１９１の各構成部材に右保持手段１５１と同じ符号を付して説明を省略する。
【００９６】
牽引手段１６に右保持手段１５１および左保持手段１９１を備えることで、牽引ハンドル１４１を展開して可動グリップ部１６４を牽引可能な牽引位置Ｐ２に配置した際に、右保持溝部１５２に右下揺動リンク１４６の下端部（具体的には、下ボス）１４６ｂが嵌合され、左保持溝部１５２に左下揺動リンク１５６の下端部（具体的には、下ボス）１５６ｂが嵌合される。
これにより、牽引ハンドル１４１、右揺動リンクユニット１３２および左揺動リンクユニット１３６などの自重で牽引ハンドル１４１が折り畳まれることを阻止することができる。
【００９７】
つぎに、可搬式発電機１０の修理点検（メンテナンス）をおこなう例を図１６に基づいて説明する。
図１６は本発明に係る可搬式発電機の修理点検をおこなう例を説明する図である。
一対のボルト４９をねじ孔４８，４８から外すことで、右サイドカバー１４を右側壁部２６から取り外す。
右リム６４の中心側領域１２１を開放するとともに、修理点検（メンテナンス）用の右開口部４５を開放することができる。
【００９８】
ここで、エンジン１８のエアクリーナ１９３、エンジンオイルキャップ１９４、キャブレター１９５、ミキサー（図示せず）などが右開口部４５に臨む位置に設けられている。
よって、エアクリーナ１９３のエレメント（図示せず）の交換や、エンジンオイルキャップ１９４を外してエンジンオイルの交換が可能である。
さらに、キャブレター１９５やミキサーの交換が可能である。
【００９９】
これにより、中心側領域１２１および右開口部４５を利用してエンジン／発電機ユニット１２の修理点検（メンテナンス）をおこなうことができる。
なお、ミキサーは、カセットガスボンベ３５から導かれたガス燃料に、エアクリーナを経て取り入れた空気を混合させてエンジン１８のシリンダ内に導く装置である。
【０１００】
つぎに、可搬式発電機１０の牽引手段１６を折畳位置Ｐ１から牽引位置Ｐ２まで展開して可搬式発電機１０を牽引手段１６で牽引する例を図１７〜図２１に基づいて説明する。
なお、図１７〜図２１においては、牽引手段１６の理解を容易にするために、右側構成のみについて説明して左側構成の説明を省略する。
【０１０１】
図１７（ａ），（ｂ）は本発明に係る牽引手段を展開する例を説明する図であり、（ｂ）は（ａ）の１７ｂ部拡大図である。
（ａ）において、牽引手段１６が折畳位置Ｐ１に配置されている。
右下揺動リンク１４６の下端部（具体的には、下ボス）１４６ｂが右保持溝部１５２の下方に配置されている。
この状態において、可動グリップ部１６４を手１９８で握って牽引位置Ｐ２（図１９参照）に向けて矢印Ａの如く引張ることにより、牽引手段１６の展開を開始する。
【０１０２】
右上揺動リンク１４５および右下揺動リンク１４６がボルト１４７，１４７を軸にしてそれぞれ矢印Ｂの如く上方に向けて揺動（スイング移動）する。
同時に、（ｂ）に示すように、右上揺動リンク１４５の下端部（下ボス）１４５ｂを軸にして、右下揺動リンク１４６の下端部（下ボス）１４６ｂが矢印Ｃの如く揺動（スイング移動）する。
【０１０３】
図１８（ａ），（ｂ）は本発明に係る牽引手段を途中まで展開させた状態を説明する図であり、（ｂ）は（ａ）の１８ｂ部拡大図である。
可動グリップ部１６４を牽引位置Ｐ２に向けて矢印Ａの如く継続して引張ることで、可動グリップ部１６４が一定の軌跡１８１に沿って展開（移動）を継続する。
右上揺動リンク１４５および右下揺動リンク１４６がボルト１４７，１４７を軸にしてそれぞれ矢印Ｂの如く上方に向けて継続して揺動（スイング移動）する。
【０１０４】
同時に、右上揺動リンク１４５の下端部（下ボス）１４５ｂを軸にして、右下揺動リンク１４６の下端部（下ボス）１４６ｂが矢印Ｃの如く継続して揺動（スイング移動）する。
下端部（下ボス）１４６ｂが右保持溝部１５２に向けて移動する。
【０１０５】
図１９は本発明に係る牽引手段を牽引位置まで展開させた状態を説明する図である。
可動グリップ部１６４を牽引位置Ｐ２に向けて矢印Ａの如く継続して引張ることで、可動グリップ部１６４が一定の軌跡１８１に沿って移動して展開位置Ｐ２に到達する。
【０１０６】
図２０（ａ），（ｂ）は本発明に係る牽引手段を牽引位置に保持した状態を説明する図であり、（ａ）は図１９の２０ａ−２０ａ線断面図、（ｂ）は図１９の２０ｂ拡大図である。
右下揺動リンク１４６の下端部（下ボス）１４６ｂが、右上揺動リンク１４５の下端部１４５ｂ近傍の部位１４５ｃに干渉する。
これにより、牽引ハンドル１４１が牽引位置Ｐ２を超えて展開することを阻止できる。
【０１０７】
下端部（下ボス）１４６ｂが下端部１４５ｂ近傍の部位１４５ｃに干渉すると同時に、右保持手段１５１の右保持溝部１５２に右下揺動リンク１４６の下端部（下ボス）１４６ｂが嵌合する。
よって、牽引ハンドル１４１が、牽引ハンドル１４１や右揺動リンクユニット１３２などの自重で折り畳まれることを阻止できる。
これにより、可動グリップ部１６４から手１９８を離した状態で、可動グリップ部１６４を牽引位置Ｐ２に保持することができるので使い勝手の向上を図ることができる。
【０１０８】
図１９に戻って、牽引手段１６は、略中央で折曲げ可能に構成されている。
また、右揺動リンクユニット１３２の長さ寸法は、牽引ハンドル１４１の長さ寸法と略同じに設定されている。
さらに、左揺動リンクユニット１３６の長さ寸法は、牽引ハンドル１４１の長さ寸法と略同じに設定されている。
これにより、牽引手段１６を展開することにより、牽引手段１６の全長を長く確保することが可能になる。
【０１０９】
さらに、牽引ハンドル１４１を展開する際に、右上揺動リンク１４５および右下揺動リンク１４６をボルト１４７，１４７を軸にして上方に向けて揺動（スイング移動）する。
よって、右上揺動リンク１４５の下端部（下ボス）１４５ｂや右下揺動リンク１４６の下端部（下ボス）１４６ｂが上方に移動する。
【０１１０】
これにより、下端部（下ボス）１４５ｂ，１４６ｂに連結された牽引ハンドル１４１が上方に持ち上げられる。
牽引ハンドル１４１を上方に持ち上げることで、牽引ハンドル１４１の可動グリップ部１６４を高さ寸法Ｈ２の高位置に配置することができる。
【０１１１】
さらに、牽引ハンドル１４１を展開する際に、右上揺動リンク１４５および右下揺動リンク１４６をボルト１４７，１４７を軸にして上方に向けて揺動（スイング移動）する。
よって、右上揺動リンク１４５の下端部（下ボス）１４５ｂや右下揺動リンク１４６の下端部（下ボス）１４６ｂが前方に移動する。
【０１１２】
これにより、下端部（下ボス）１４５ｂ，１４６ｂに連結された牽引ハンドル１４１が前方に移動する。
牽引ハンドル１４１を前方に移動することで、牽引ハンドル１４１の可動グリップ部１６４をフレーム１１から前方に向けて距離寸法Ｌ２と大きく離すことができる。
【０１１３】
図２１は本発明に係る可搬式発電機を牽引手段で牽引する例を説明する図である。
可動グリップ部１６４を手１９８で握った状態で、操作者１９７が徒歩で移動する。
これにより、右車輪５６および左車輪５８が回転して可搬式発電機１０を牽引することができる。
この場合、左右の脚部２８が移動位置にロックされている。
【０１１４】
ここで、牽引ハンドル１４１の可動グリップ部１６４は高い位置Ｈ２に配置されている。
よって、牽引ハンドル１４１を牽引位置Ｐ２に展開（配置）した状態で、可動グリップ部１６４の高さを操作者１９７に対応させる（合わせる）ことができる。
【０１１５】
また、牽引ハンドル１４１の可動グリップ部１６４はフレーム１１から前方に向けて距離寸法Ｌ２と大きく離されている。
よって、操作者１９７を可搬式発電機１０から十分に離して、操作者１９７が可搬式発電機１０に接触することを防ぐことができる。
【０１１６】
このように、可動グリップ部１６４の高さを操作者１９７に対応させ（合わせ）、さらに、操作者１９７が可搬式発電機１０に接触することを防ぐことで可搬式発電機１０の牽引性（運搬性）を高めることができる。
【０１１７】
ここで、可搬式発電機１０を牽引する際に、舵取り車輪１２６の向きを運搬方向に対応させて変化させたり、取り車輪１２６を不整地の凹凸に合わせて上下動させることができる。
これにより、可搬式発電機１０の牽引性（運搬性）をさらに高めることができる。
【０１１８】
つぎに、可搬式発電機１０の牽引手段１６を牽引位置Ｐ２から折畳位置Ｐ１まで折り畳む例を図２２〜図２４に基づいて説明する。
なお、図２２〜図２４においては、牽引手段１６の理解を容易にするために、右側構成のみについて説明して左側構成の説明を省略する。
【０１１９】
図２２（ａ），（ｂ）は本発明に係る牽引手段を展開位置から折り畳む例を説明する図
であり、（ｂ）は（ａ）の２２ｂ部拡大図である。
可動グリップ部１６４を押力Ｆ１で矢印の如く押すことにより、牽引ハンドル１４１が右上揺動リンク１４５の下端部（下ボス）１４５ｂを軸にして矢印Ｄの如く揺動する。
同時に、右下揺動リンク１４６の下端部（下ボス）１４６ｂが右上揺動リンク１４５の下端部（下ボス）１４５ｂを軸にして矢印Ｅの如く揺動する。
【０１２０】
右下揺動リンク１４６の下端部（下ボス）１４６ｂが矢印Ｅの如く揺動することで、右リンクカバー１３３の右保持溝部１５２から抜け出す。
右保持溝部１５２による下端部（下ボス）１４６ｂの保持が解除される。
【０１２１】
右上揺動リンク１４５および右下揺動リンク１４６が、牽引ハンドル１４１や右揺動リンクユニット１３２などの自重でボルト１４７，１４７を軸にして矢印Ｆの如く下方に向けて揺動（スイング移動）を開始する。
これにより、可動グリップ部１６４が一定の軌跡１８１に沿って矢印Ｇの如く折畳位置Ｐ１に向けて折畳み（移動）を開始する。
【０１２２】
図２３（ａ），（ｂ）は本発明に係る牽引手段を途中まで折り畳んだ例を説明する図である。
右上揺動リンク１４５および右下揺動リンク１４６が、牽引ハンドル１４１や右揺動リンクユニット１３２などの自重で矢印Ｆの如く下方に向けて揺動（スイング移動）を継続する。
これにより、可動グリップ部１６４が一定の軌跡１８１に沿って矢印Ｇの如く折畳位置Ｐ１に向けて折畳み（移動）を継続する。
【０１２３】
図２４（ａ），（ｂ）は本発明に係る牽引手段を折畳位置まで折り畳んだ状態を説明する図である。
（ａ）において、可動グリップ部１６４が一定の軌跡１８１（図２３参照）に沿って矢印Ｇの如く移動し、折畳位置Ｐ１の手前（直前）に到達する。
この状態において、可動グリップ部１６４を矢印Ｆ２の如くフレーム１１に向けて押し込む。
【０１２４】
（ｂ）において、右リンクカバー１３３のハンドルホルダ１５３に右ハンドル部１６１が係止するとともに、左リンクカバー１３７のハンドルホルダ１５４に左ハンドル部１６２が係止する。
これにより、牽引ハンドル１４１を折畳位置Ｐ１（（ａ）参照）に保持することができる。
【０１２５】
図１７〜図２４で説明したように、牽引ハンドル１４１を折畳位置Ｐ１から展開位置Ｐ２まで展開する際に、可動グリップ部１６４を一定の軌跡１８１（図１９、図２２参照）に沿って移動するようにした。
よって、操作者１９７は可動グリップ部１６４を握った手１９８を一定の軌跡１８１に沿って移動させることで、牽引ハンドル１４１の折畳み／展開をおこなうことができる。
これにより、牽引ハンドル１４１を折畳み／展開する操作が容易になり、使い勝手の向上を図ることができる。
【０１２６】
加えて、可動グリップ部１６４の軌跡１８１（図１９参照）を折畳位置Ｐ１から展開位置Ｐ２まで略一定の上り勾配（詳しくは、略Ｓ字状の上り勾配）とすることができる。
よって、牽引ハンドル１４１を展開する際に、可動グリップ部１６４を斜め上方に引き上げるだけで、折畳位置Ｐ１から展開位置Ｐ２まで展開することができる。
これにより、牽引ハンドル１４１を展開する操作が一層容易になり、使い勝手の向上をさらに高めることができる。
【０１２７】
ここで、牽引ハンドル１４１を折畳位置Ｐ１に保持することで、牽引ハンドル１４１がハンドルホルダ１５３，１５４に係止するとともに、ロア連結ロッド１３８の中央部１３８ｃがキャスタストッパ１８５に係止する。
これにより、キャスタ部６１の舵取り車輪１２６が旋回軸１２４を軸にして旋回することや、上下動することを阻止することができる。
【０１２８】
また、牽引ハンドル１４１がハンドルホルダ１５３およびハンドルホルダ１５４に係止するとともに、右タイヤストッパ１５８が右タイヤ６５の外周に当接する。
これにより、右車輪５６が回転することを右タイヤストッパ１５８で阻止することができる。
同様に、牽引ハンドル１４１がハンドルホルダ１５３およびハンドルホルダ１５４に係止するとともに、左タイヤストッパ（図示せず）が左タイヤ６５の外周に当接する。
これにより、左車輪５８が回転することを左タイヤストッパで阻止することができる。
さらに、左右の脚部２８（図１も参照）を静止位置まで下げる。
これにより、可搬式発電機１０を静止状態に安定的に保持することができる。
【０１２９】
図２５（ａ），（ｂ）は本発明に係る牽引手段で電源コードを車輪から離す状態を説明する図である。
可搬式発電機１０の操作パネル２０１に出力端子２０２が備えられている。
出力端子２０２に電源コード２０３のコンセント２０４を差し込むことで、可搬式発電機１０で発電された電力を出力することができる。
【０１３０】
ここで、出力端子２０２に電源コード２０３のコンセント２０４を差し込んだ状態で、可搬式発電機１０を移動させることが考えられる。
この場合、牽引手段１６の牽引ハンドル１４１を展開することにより、ロア連結ロッド１３８が上昇して電源コード２０３を持ち上げる。
これにより、電源コード２０３を右車輪５６や左車輪５８から離すことが可能になり、電源コード２０３が右車輪５６や左車輪５８に絡むことを防止できる。
【０１３１】
なお、前記実施の形態では、牽引手段１６に右リンクカバー１３３および左リンクカバー１３７を備えた例について説明したが、これに限らないで、右リンクカバー１３３および左リンクカバー１３７を除去することも可能である。
【０１３２】
また、前記実施の形態では、可動グリップ部１６４の軌跡１８１を折畳位置Ｐ１から展開位置Ｐ２まで略一定の上り勾配（詳しくは、略Ｓ字状の上り勾配）となるようにしたが、これに限定するものではなく適宜変更が可能である。
【０１３３】
さらに、前記実施の形態では、右下揺動リンク１４６の下端部（下ボス）１４６ｂを右上揺動リンク１４５の下端部１４５ｂ近傍の部位１４５ｃに干渉（当接）させるとともに、左下揺動リンク１５６の下端部（下ボス）１５６ｂを左上揺動リンク１５５の下端部１５５ｂ近傍の部位１５５ｃに干渉（当接）させることで、牽引ハンドル１４１が牽引位置Ｐ２を超えて展開することを阻止するようにしたが、牽引ハンドル１４１の展開を阻止する手段はこれに限定するものではない。
【０１３４】
たとえば、各揺動リンクの下端部や下端部近傍の部位に代えて、各揺動リンクの中央部を互いに干渉させて牽引ハンドル１４１の展開を阻止するように構成することも可能である。
さらには、ストッパ部材などを設けて牽引ハンドル１４１の展開を阻止するように構成することも可能である。
【０１３５】
また、前記実施の形態では、右保持手段１５１を右保持溝部１５２および右下揺動リンク１４６の下端部（下ボス）１４６ｂで構成する例について説明したが、右保持手段１５１の構成はこれに限定するものではない。
【０１３６】
さらに、前記実施の形態で示したフレーム１１、牽引ハンドル１４１、右上揺動リンク１４５、右下揺動リンク１４６、左上揺動リンク１５５、左下揺動リンク１５６などの形状は例示したものに限定するものではなく適宜変更が可能である。
【産業上の利用可能性】
【０１３７】
本発明は、発電機がフレームに搭載され、このフレームに運搬移動用の牽引ハンドルが備えられた可搬式発電機への適用に好適である。
【図面の簡単な説明】
【０１３８】
【図１】本発明に係る可搬式発電機を示す斜視図である。
【図２】本発明に係る可搬式発電機を示す正面図である。
【図３】本発明に係る可搬式発電機から運搬移動用の移動手段を分解した状態を示す分解斜視図である。
【図４】本発明に係る可搬式発電機から右サイドカバーを外した状態を示す側面図である。
【図５】本発明に係る可搬式発電機の運搬移動用の移動手段を示す斜視図である。
【図６】図４の６部拡大図である。
【図７】図６の７−７線断面図である。
【図８】図４の８部拡大図である。
【図９】図９は図８の９−９線断面図である。
【図１０】本発明に係る可搬式発電機の牽引手段を示す分解斜視図である。
【図１１】本発明に係る可搬式発電機の牽引手段を展開した状態を示す斜視図である。
【図１２】図４の１２部拡大図である。
【図１３】本発明に係る可搬式発電機の牽引手段を展開した状態を示す側面図である。
【図１４】図１３の１４−１４線断面図である。
【図１５】図１３の１５部拡大図である。
【図１６】本発明に係る可搬式発電機の修理点検をおこなう例を説明する図である。
【図１７】本発明に係る牽引手段を展開する例を説明する図である。
【図１８】本発明に係る牽引手段を途中まで展開させた状態を説明する図である。
【図１９】本発明に係る牽引手段を牽引位置まで展開させた状態を説明する図である。
【図２０】本発明に係る牽引手段を牽引位置に保持した状態を説明する図である。
【図２１】本発明に係る可搬式発電機を牽引手段で牽引する例を説明する図である。
【図２２】本発明に係る牽引手段を展開位置から折り畳む例を説明する図である。
【図２３】本発明に係る牽引手段を途中まで折り畳んだ例を説明する図である。
【図２４】本発明に係る牽引手段を折畳位置まで折り畳んだ状態を説明する図である。
【図２５】本発明に係る牽引手段で電源コードを車輪から離す状態を説明する図である。
【符号の説明】
【０１３９】
１０…可搬式発電機、１１…フレーム、１６…牽引手段、１８…エンジン、１９…発電機、１３１ａ…第１上取付部（上端部）、１３１ｂ…第２上取付部（上端部）、１４１…牽引ハンドル、１４５…右上揺動リンク（上揺動リンク）、１４５ｂ…右上揺動リンクの下端部、１４６…右下揺動リンク（下揺動リンク）、１４６ｂ…右下揺動リンクの下端部、１５１…右保持手段（保持手段）、１５５…左上揺動リンク（上揺動リンク）、１５５ｂ…左上揺動リンクの下端部、１５６…左下揺動リンク（下揺動リンク）、１５６ｂ…左下揺動リンクの下端部、１６１ａ，１６２ａ…先端部、１６１ｂ，１６２ｂ…基端部、１６４…可動グリップ部（グリップ部）、１８１…一定の軌跡、１９１…左保持手段（保持手段）、Ｐ１…折畳位置、Ｐ２…牽引位置。
【図１】
2010000822.tif 000003
【図２】
2010000822.tif 000004
【図３】
2010000822.tif 000005
【図４】
2010000822.tif 000006
【図５】
2010000822.tif 000007
【図６】
2010000822.tif 000008
【図７】
2010000822.tif 000009
【図８】
2010000822.tif 000010
【図９】
2010000822.tif 000011
【図１０】
2010000822.tif 000012
【図１１】
2010000822.tif 000013
【図１２】
2010000822.tif 000014
【図１３】
2010000822.tif 000015
【図１４】
2010000822.tif 000016
【図１５】
2010000822.tif 000017
【図１６】
2010000822.tif 000018
【図１７】
2010000822.tif 000019
【図１８】
2010000822.tif 000020
【図１９】
2010000822.tif 000021
【図２０】
2010000822.tif 000022
【図２１】
2010000822.tif 000023
【図２２】
2010000822.tif 000024
【図２３】
2010000822.tif 000025
【図２４】
2010000822.tif 000026
【図２５】
2010000822.tif 000027